(57)【要約】【課題】要介護者の介護を容易にするように工夫された介護対応型住宅を提供すること。【解決手段】木造在来軸組構法により造られた木造住宅において、垂直に立てられた複数の柱と、複数の柱の何れかに、第１の胴差又は第１の間仕切桁を介するかまたは直接に固定されるとともに、この複数の柱の間に水平に配置され、木材からなる複数の上階床桁と、上階床桁上に配置された上階床と、上階床桁よりも低い位置において、複数の柱の何れかに、第２の胴差又は第２の間仕切桁を介するかまたは直接に固定されるとともに、この複数の柱の間に水平に配置され、木材からなる複数の下地用桁と、複数の下地用桁の下面に配置され、複数の下地用桁に固定された下地構造板とを有し、上階床桁、下地用桁は建物の構造要素をなす。【選択図】  図１
2010001620.tif 000002
【特許請求の範囲】
【請求項１】
木造在来軸組構法により造られた木造住宅において、
垂直に立てられた複数の柱と、
前記複数の柱の何れかに、第１の胴差又は第１の間仕切桁を介するかまたは直接に固定されるとともに、この複数の柱の間に水平に配置され、木材からなる複数の上階床桁と、
前記上階床桁上に配置された上階床と、
前記上階床桁よりも低い位置において、前記複数の柱の何れかに、第２の胴差又は第２の間仕切桁を介するかまたは直接に固定されるとともに、この複数の柱の間に水平に配置され、木材からなる複数の下地用桁と、
前記複数の下地用桁の下面に配置され、前記複数の下地用桁に固定された下地構造板と
を有し、
前記上階床桁、前記下地用桁は建物の構造要素をなすことを特徴とする木造住宅。
【請求項２】
請求項１記載の木造住宅において、
さらに、前記下地構造板は２０ｍｍ以上の厚さを有する合板で構成されていることを特徴とする木造住宅。
【請求項３】
請求項１記載の木造住宅において、
前記下地構造板は前記複数の柱で囲まれる一部屋の天井部分全面を覆っていることを特徴とする木造住宅。
【請求項４】
請求項１記載の木造住宅において、
さらに、前記上階床桁と前記下地用桁とは所定の間隔を空けて対向していることを特徴とする木造住宅。
【請求項５】
請求項１記載の木造住宅において、
さらに、前記下地用構造板に電動リフトを走行させるための電動リフト用レールをネジを用いて取り付けたことを特徴とする木造住宅。
【発明の詳細な説明】
【技術分野】
【０００１】
本発明は、木造住宅に関し、より詳細には、要介護者の介護を容易にするように工夫された介護対応型住宅に関する。
【背景技術】
【０００２】
通常、介護を必要とする高齢者や病人などの要介護者は、自力で歩くことが不自由なため、一般住宅でトイレや入浴施設（風呂、シャワー）などを一人で使用する場合、大変な不便を強いられる。また、介護者の手を借りる場合は、介護者にも大変な労力がかかる。そこで近年、高齢者、病人及び身体障害者など要介護者に配慮した住宅の供給が多く試みられている。
【０００３】
要介護者に配慮して供給される住宅の一つに電動リフトが設置された住宅がある。特開２００１−２１２１８７号公報には、天井に予め設置されたレールに沿って移動する天井走行型リフトが開示されている。
【０００４】
木造在来軸組構法により造られた木造住宅においては、天井は建物の構造要素には該当しない。建物に加えられる各種の荷重・外力に対しては、コンクリート等からなる基礎並びに木材からなる土台、柱、梁（桁を含む）及び筋交い等が対応する（構造要素とよばれる）。木造在来軸組構法による構造要素とその構成方法は「木造の詳細  １構造編  新訂二版」（彰国社刊）に詳細に記載されている。
【０００５】
天井は、構造要素とは異なる仕上げ要素とされており、建物に加えられる各種の荷重・外力に対応することは考慮されていない。一般には、上階の梁（桁を含む）の上に吊木受けと称する木材が渡してあり、この吊木受けから下方に、一般には３０ｍｍ×３５ｍｍ角の吊木を吊り下げ、この吊木の下端に、格子状に組まれた４０ｍｍ×４５ｍｍ角の木材である野縁受及び野縁に厚さ１６ｍｍ程度の敷目板を固定することによって天井を構成する。木造在来軸組構法による仕上げ要素とその構成方法は「木造の詳細  ２仕上げ編  新訂版」（彰国社刊）に詳細に記載されている（天井下地の構成は同書の６２頁に記載されている。）。
【０００６】
前述した天井走行型の電動リフトを木造在来軸組構法により造られた木造住宅の天井に直接取り付けることは極めて困難であった。そもそも、木造住宅における天井は構造要素ではないため、人間の荷重を支えることは困難である。
【０００７】
【特許文献１】特開２００１−２１２１８７号公報
【非特許文献１】「木造の詳細  １構造編  新訂二版」（彰国社刊）
【非特許文献２】「木造の詳細  ２仕上げ編  新訂版」（彰国社刊）
【発明の開示】
【発明が解決しようとする課題】
【０００８】
本発明の目的は、前記問題点を解決するためのものであり、電動リフトのレールを取り付けて動作させてもその荷重に耐えることができ、部屋内の何れの場所においても電動リフトのレールを設置することが可能となり、上階の音が下階に伝わりにくく、かつ、他の構造要素とあいまって、建物の強度、とりわけ建物に加えられる水平力に対する強度を増大させることができる木造住宅を提供することにある。
【課題を解決するための手段】
【０００９】
上記課題を達成するため、本発明においては、以下の構成を提供する。
【００１０】
請求項１記載の発明は、木造在来軸組構法により造られた木造住宅において、垂直に立てられた複数の柱と、複数の柱の何れかに、第１の胴差又は第１の間仕切桁を介するかまたは直接に固定されるとともに、この複数の柱の間に水平に配置され、木材からなる複数の上階床桁と、上階床桁上に配置された上階床と、上階床桁よりも低い位置において、複数の柱の何れかに、第２の胴差又は第２の間仕切桁を介するかまたは直接に固定されるとともに、この複数の柱の間に水平に配置され、木材からなる複数の下地用桁と、複数の下地用桁の下面に配置され、複数の下地用桁に固定された下地構造板とを有し、上階床桁、下地用桁は建物の構造要素をなすことを特徴とする木造住宅としたものである。
【００１１】
請求項２記載の発明は、請求項１記載の木造住宅において、さらに、下地構造板は２０ｍｍ以上の厚さを有する合板で構成されていることを特徴とする木造住宅としたものである。
【００１２】
請求項３記載の発明は、請求項１記載の木造住宅において、下地構造板は複数の柱で囲まれる一部屋の天井部分全面を覆っていることを特徴とする木造住宅としたものである。
【００１３】
請求項４記載の発明は、請求項１記載の木造住宅において、さらに、上階床桁と下地用桁とは所定の間隔を空けて対向していることを特徴とする木造住宅としたものである。
【００１４】
請求項５記載の発明は、請求項１記載の木造住宅において、さらに、下地用構造板に電動リフトを走行させるための電動リフト用レールをネジを用いて取り付けたことを特徴とする木造住宅としたものである。
【発明の効果】
【００１５】
上記発明による構成によれば、以下のような効果が生じる。
【００１６】
請求項１記載の発明においては、木造在来軸組構法により造られた木造住宅においても、構造要素である下地用桁と、同じく構造要素である下地用構造板とが、電動リフト、被介護者及びレールの荷重に耐えることができる。また、下地用構造板は合板で構成されているとともに、複数の下地用桁にわたって配置されているため、レールを設置の自由度が高まる。さらに、上階床は上階桁に固定され、下地用構造板は下地用桁に固定されていることから、上階の音が下階に伝わりにくい。加えて、本発明にて追加された下地用桁は、他の構造要素とあいまって、建物の強度、とりわけ建物に加えられる水平力に対する強度を増大させる。
【００１７】
請求項２記載の発明においては、加えて、本発明にて追加された下地用構造板は、他の構造要素とあいまって、建物の強度、とりわけ建物に加えられる水平力に対する強度を増大させる。
【００１８】
請求項３記載の発明においては、下地構造板は複数の柱で囲まれる一部屋の天井部分全面を覆っているので、この複数の柱によって区画される部屋の中の任意の場所にレールを設置することができる。
【００１９】
請求項４記載の発明においては、上階床桁と下地用桁とは所定の間隔を空けて対向していることにより、その間に配線や配管を通すことが可能となり、かつ、所定の間隔が空いていることから、上階から下階へと騒音が伝わりにくくなる。
【００２０】
請求項５記載の発明においては、下地用構造板に電動リフトを走行させるための電動リフト用レールをネジで取り付けたことにより、部屋の模様替え等必要に応じてレールの配置を変更することができる。
【発明を実施するための最良の形態】
【００２１】
以下、図面を参照して、本発明の実施形態について本発明の属する当業者が容易に実施可能なように詳述する。しかし、本発明は、以下の記載に限定されず、様々な形態で実現することができる。
【００２２】
図１は本発明による、電動リフト及びそのレールを後から設置可能な介護対応型木造住宅の一実施形態の概略図であり、図２は図１に記載の電動リフトなどを設置可能な介護対応型木造住宅の一部の断面図である。
【００２３】
図１に示すように、本実施形態による木造住宅１００は、垂直に立てられた複数の木材からなる柱１４０と、この複数の柱１４０に固定された木材からなる複数の上階床桁１２０と、上階床桁１２０の上に固定して配置された合板からなる上階床１１０とを有する。
【００２４】
この上階床桁１２０は、木造建物の周囲において柱と柱を固定する構造部材である胴差又は木造建物の内部において柱と柱とを固定する構造部材である間仕切桁に固定してもよい。この場合、上階床桁１２０は、胴差又は間仕切桁を介して、柱１４０に間接的に固定されているといえる。また、上階床桁１２０は、柱と柱との間の部分においては、胴差又は間仕切桁によって構成してもよい。柱１４０と上階床桁１２０、柱１４０と胴差若しくは間仕切桁、又は上階床桁１２０と胴差若しくは間仕切桁は、木材に形成した継手・仕口や金具を用いてそれぞれ接続・固定する。
【００２５】
柱１４０は９０ｍｍ〜１５０ｍｍ角の木材、好ましくは１２０ｍｍ角の木材で構成し、上階床桁１２０は幅及び高さともに少なくとも７５ｍｍ以上の木材で構成し、例えば、幅７５ｍｍ〜１３０ｍｍ、高さが７５ｍｍ〜４５０ｍｍの木材、より好ましくは幅１２０ｍｍ、高さが３００ｍｍの木材で構成する。幅及び高さが７５ｍｍ未満であれば、上階の荷重に耐えられない。上階床１１０は、少なくとも２０ｍｍ以上の合板を用いるとよい。
【００２６】
さらに、図１に示すように、本実施形態による木造住宅１００は、上階床桁１２０よりも低い位置において複数の柱１４０に固定された木材からなる複数の下地用桁１３０と、下地用桁１３０の上に固定して配置された合板からなる下地構造板１５０とを有する。下地構造板１５０は複数の柱で囲まれる一部屋の天井部分全面を覆っている。
【００２７】
この下地構造板１５０は、胴差又は間仕切桁を介して柱１４０に固定してもよいし、柱と柱との間の部分においては、胴差又は間仕切桁によって構成してもよい。柱１４０と下地構造板１５０、柱１４０と胴差若しくは間仕切桁、又は下地構造板１５０と胴差若しくは間仕切桁は、木材に形成した継手・仕口や金具を用いてそれぞれ接続・固定する。
【００２８】
下地用桁１３０は幅７５ｍｍ〜１３０ｍｍ、高さが７５ｍｍ〜５００ｍｍの木材で構成する。下地構造板１５０は、２０ｍｍ以上５０ｍｍ以下の厚さの合板を用い、好ましくは耐荷重３００Ｋｇ／ｍ２の２４ｍｍ厚の構造用合板を用いる。厚さ２０ｍｍ未満の合板では被介護者及び電動リフト並びにレールの荷重に耐えられない。また、下地用桁１３０自体が垂れ下がることを防止するために、天井の間口に応じて下地用桁１３０の高さを適宜変えていくとよい。たとえば、天井の間口が４ｍ以上の場合には下地用桁１３０の高さは約５００ｍｍにすることが望ましい。
【００２９】
下地用桁１３０は、略平行に複数本配置されるが、その間隔は１０００ｍｍ以下であることが望ましい。好ましくは中心間の距離が９１０ｍｍ間隔となるよう、等間隔で配置する。このようにすれば、荷重が分散され、被介護者及び電動リフト並びにレールの荷重に十分耐えることが可能となる。
【００３０】
下地構造板１５０は、下地用桁１３０に、５００ｍｍ以下の間隔で、ネジを用いて固定される。好ましくは４５５ｍｍ間隔で、長さ７０ｍｍ以上の長さの木ネジによって固定する。下地構造板１５０の表面（天井面）には化粧処理がなされ、または、化粧シートが貼付されていてもよい。
【００３１】
レール１７０は木造住宅の引渡しの時点で設置されていなくてもよいし、設置されていても良い。本発明の木造住宅は、引渡時にはレールが取り付けられていないが、引渡後何年か経過して、木造住宅の居住者に介護を必要とする者が生じ、はじめてそのときの間取り・家具等の設置状況に応じて最適なレール配置を検討してレールを設置する。本発明の木造住宅は、レールの配置に自由度があり、任意の場所に取り付けることが可能である。
【００３２】
図２は、図１に記載の電動リフトなどを設置可能な介護対応型木造住宅の一部の断面図である。上階床１１０と下地構造板１５０との間隔は７００ｍｍ以下であり、好ましくは６００ｍｍである。上階床桁１２０は高さが２５０ｍｍ以上であり、好ましくは３００ｍｍである。下地用桁１３０は高さが８５ｍｍ以上であり、好ましくは１２０ｍｍである。上階床桁１２０と下地用桁１３０との間には１０ｍｍ以上の間隔があることが望ましく、配線・配管等の便宜を考えると、好ましくは１８０ｍｍの間隔を空ける。この間隙には、防音シートを配置してもよい。１階床面から天井（下地構造板１５０）までの高さは２４００ｍｍが好ましい。
【００３３】
図３Ａは、本発明の介護対応型木造住宅の下地構造板１５０に電動リフト３００のレール取り付け用アタッチメント１６０及びレール１７０を取り付けた部分の断面図である。図３Ｂは電動リフト３００のモータ部分１８０の横面図及び正面図である。電動リフト３００は内部に電動モータ１８０を有し、介護者又は被介護者の制御によりレールに沿って自走することができる。レール取り付け用のアタッチメント１６０は下地構造板１５０にネジ止めされる。レール取り付け用のアタッチメント１６０には、レール１７０が取り付けられる。したがって、レール１７０はレール取り付け用のアタッチメント１６０を介して下地構造板１５０にネジ止めされる。
【００３４】
以上説明したとおり、本発明にかかるに木造住宅は、下地用桁と下地用構造板とがいずれも構造要素に含まれ、その結果、電動リフト、被介護者及びレールの荷重に耐えることができる。また、下地用構造板は合板で構成されているとともに、複数の下地用桁にわたって配置されているため、レールを設置の自由度が高まる。
【００３５】
さらに、上階床は上階桁に固定され、下地用構造板は下地用桁に固定されていることから、上階の音が下階に伝わりにくい。仮に、下地用構造板を上階床桁の裏面に直接固定すると、いわば「太鼓」のごとく、上階床の震動が、下階に直接伝達される。しかし、本発明ではそのような問題は生じない。
【００３６】
加えて、本発明にて追加された下地用構造板及び下地用桁は、他の構造要素とあいまって、建物の強度、とりわけ建物に加えられる水平力に対する強度を増大させるという効果を奏する。
【図面の簡単な説明】
【００３７】
【図１】本発明による、電動リフト及びそのレールを後から設置可能な介護対応型木造住宅の一実施形態の概略図
【図２】図１に記載の介護対応型木造住宅の一部の断面図
【図３Ａ】本発明の介護対応型木造住宅の下地構造板に電動リフトのレール取り付け用のアタッチメント及びレールを取り付けた部分の断面図
【図３Ｂ】電動リフトのモータ部分の横面図及び正面図
【符号の説明】
【００３８】
１００  木造住宅
１１０  上階床
１２０  上階床桁
１３０  下地用桁
１４０  柱
１５０  下地用構造板
１６０  アタッチメント
１７０  レール
１８０  電動モータ
２１０  ２階床面
３００  電動リフト
【図１】
2010001620.tif 000003
【図２】
2010001620.tif 000004
【図３Ａ】
2010001620.tif 000005
【図３Ｂ】
2010001620.tif 000006